(57)【要約】【課題】従来の給湯システムに比べて、施工負荷を軽減することができる技術を提供する。【解決手段】電力を供給する電源より分岐した電源接続口に接続されて動作する給湯システムであって、ヒートポンプと、熱源機と、を備え、前記ヒートポンプは、外気から吸熱して水を加熱する加熱機と、前記電源接続口に接続される第１の電源部と、を有しており、前記熱源機は、燃料を燃焼させて発生した熱を用いて水を加熱する燃焼機と、前記電源接続口に接続される第２の電源部と、を有しており、前記第２の電源部は、スイッチング素子を有するとともに前記電源接続口と負荷との間に設けられる力率改善回路を有している。【選択図】図１
2019082260.tif 000002
【特許請求の範囲】
【請求項１】
電力を供給する電源より分岐した電源接続口に接続されて動作する給湯システムであって、
ヒートポンプと、熱源機と、を備え、
前記ヒートポンプは、
外気から吸熱して水を加熱する加熱機と、
前記電源接続口に接続される第１の電源部と、を有しており、
前記熱源機は、
燃料を燃焼させて発生した熱を用いて水を加熱する燃焼機と、
前記電源接続口に接続される第２の電源部と、を有しており、
前記第２の電源部は、スイッチング素子を有するとともに前記電源接続口と負荷との間に設けられる力率改善回路を有している、
給湯システム。
【請求項２】
前記第２の電源部は、さらに、前記電源接続口と前記負荷との間に前記力率改善回路を電気的に接続する第１の状態と、前記電源接続口と前記負荷との間に前記力率改善回路を電気的に接続しない第２の状態と、を切り替えるためのスイッチを有しており、
前記ヒートポンプは、さらに、
前記加熱機の動作状態を示す状態信号を前記熱源機に送信する第１の制御部を有しており、
前記熱源機は、さらに、
前記ヒートポンプから前記状態信号を受信し、受信された前記状態信号に基づいて、前記力率改善回路による力率改善の状態を、（ａ）前記スイッチの状態を前記第１の状態に切り替えるとともに、前記力率改善回路を駆動させ、前記力率改善回路による力率改善を有効化するオン状態と、（ｂ）前記スイッチの状態を前記第２の状態に切り替えるとともに、前記力率改善回路を駆動させず、前記力率改善回路による力率改善を行わせないオフ状態と、のどちらかに切り替える、第２の制御部を有している、
請求項１に記載の給湯システム。
【請求項３】
前記状態信号は、前記加熱機が動作を開始するために必要な準備を行っていることを示す動作予定信号を含み、
前記第２の制御部は、
前記ヒートポンプから前記動作予定信号を受信する場合に、前記加熱機及び前記燃焼機の両方が同時に動作する同時動作状態が開始される前に、前記力率改善の状態を前記オン状態に切り替える、
請求項２に記載の給湯システム。
【請求項４】
前記第２の制御部は、
前記力率改善の状態を前記オン状態に切り替えた後で前記同時動作状態が開始され、その後前記同時動作状態が終了する場合に、前記力率改善の状態を前記オン状態から前記オフ状態に切り替える、
請求項３に記載の給湯システム。
【請求項５】
前記ヒートポンプは、さらに、前記熱源機と通信可能な第１の制御部を有しており、
前記熱源機は、さらに、前記ヒートポンプと通信可能な第２の制御部を有しており、
前記第２の電源部は、さらに、前記力率改善回路に異常が発生していることを検出するための監視回路を備え、
前記第２の制御部は、前記監視回路によって前記力率改善回路に異常が発生していることが検出された後で、前記燃焼機が動作すべき場合に、前記加熱機の動作を抑制するための停止信号を前記ヒートポンプに送信する、
請求項１から４のいずれか一項に記載の給湯システム。
【発明の詳細な説明】
【技術分野】
【０００１】
本明細書で開示する技術は、給湯システムに関する。
【背景技術】
【０００２】
特許文献１には、外気から吸熱して水を加熱する加熱機と、加熱機で加熱された温水を蓄えるタンクと、タンク内の温水を温水利用箇所に供給する供給路と、燃料を燃焼させて発生した熱を用いて水を加熱する燃焼機を備える給湯システムが開示されている。これにより、加熱機を利用して蓄えたタンク内の熱が不足する場合に、燃焼機を動作させて熱を補うことを可能にしている。
【先行技術文献】
【特許文献】
【０００３】
【特許文献１】特開２００１−３４３１５２号公報
【発明の概要】
【発明が解決しようとする課題】
【０００４】
この種の給湯システムは、加熱機を含むヒートポンプと、タンクと燃焼機と供給路とを含む熱源機と、の二つのユニットを組み合わせることによって構成される場合がある。その場合、ヒートポンプと熱源機は、それぞれ個別に電源から電力を供給するための電源部を有している。しかしながら、ヒートポンプの電源部と熱源機の電源部とを共通の電源接続口（例えば電源コンセント）に接続して電力供給を行うと、加熱機と燃焼機が同時に動作する際に、当該電源接続口の定格電流を超えるおそれがある。
【０００５】
そのため、従来、このような給湯システムでは、動作時に電源接続口の定格電流を超えないようにするために、ヒートポンプの電源部と、熱源機の電源部と、をそれぞれ異なる電源接続口に接続して各ユニットに電力を供給している。ただし、ヒートポンプ及び熱源機が主に設置される屋外には、複数個の異なる電源接続口が準備されていることが少なく、設置の際の電源接続口の確保のために別途工事を行わなければならない場合もあり、施工負荷が大きかった。
【０００６】
本明細書では、従来の給湯システムに比べて、施工負荷を軽減することができる技術を提供する。
【課題を解決するための手段】
【０００７】
本明細書は、電力を供給する電源より分岐した電源接続口に接続されて動作する給湯システムを開示する。給湯システムは、ヒートポンプと、熱源機と、を備える。前記ヒートポンプは、外気から吸熱して水を加熱する加熱機と、前記電源接続口に接続される第１の電源部と、を有している。前記熱源機は、燃料を燃焼させて発生した熱を用いて水を加熱する燃焼機と、前記電源接続口に接続される第２の電源部と、を有している。前記第２の電源部は、スイッチング素子を有するとともに前記電源接続口と負荷との間に設けられる力率改善回路を有している。
【０００８】
この構成によると、第２の電源部は、スイッチング素子を有するとともに電源接続口と負荷との間に設けられる力率改善回路を有している。力率改善回路を駆動させる（即ち力率改善回路のスイッチング素子を駆動させる）ことにより、電源接続口から熱源機に流れる電流値を低く抑えることができる。そのため、上記の構成によると、ヒートポンプの第１の電源部と熱源機の第２の電源部とが同じ電源接続口に接続され、同じ電源接続口から各ユニットに電力が供給される場合に、加熱機と燃焼機が同時に動作しても、給湯システムに流れる電流が当該電源接続口の定格電流を超えることを抑制することができる。従って、上記の構成によると、ヒートポンプの第１の電源部と熱源機の第２の電源部とを異なる電源接続口に接続しなくても済むため、設置の際に電源接続口の確保のための工事等を行う必要もない。そのため、ヒートポンプの電源部と、熱源機の電源部と、をそれぞれ異なる電源接続口に接続する必要があった従来の構成に比べて、施工負荷を軽減することができる。
【０００９】
前記第２の電源部は、さらに、前記電源接続口と前記負荷との間に前記力率改善回路を電気的に接続する第１の状態と、前記電源接続口と前記負荷との間に前記力率改善回路を電気的に接続しない第２の状態と、を切り替えるためのスイッチを有していてもよい。前記ヒートポンプは、さらに、前記加熱機の動作状態を示す状態信号を前記熱源機に送信する第１の制御部を有していてもよい。前記熱源機は、さらに、前記ヒートポンプから前記状態信号を受信し、受信された前記状態信号に基づいて、前記力率改善回路による力率改善の状態を、（ａ）前記スイッチの状態を前記第１の状態に切り替えるとともに、前記力率改善回路を駆動させ、前記力率改善回路による力率改善を有効化するオン状態と、（ｂ）前記スイッチの状態を前記第２の状態に切り替えるとともに、前記力率改善回路を駆動させず、前記力率改善回路による力率改善を行わせないオフ状態と、のどちらかに切り替える、第２の制御部を有していてもよい。
【００１０】
給湯システムを運転している間、常時、力率改善回路を電源接続口と負荷との間に接続するとともに力率改善回路を駆動させていると、スイッチング素子の駆動に伴って給湯システム全体の消費電力が大きくなってしまう。しかしながら、例えば加熱機と燃焼機のうちの一方のみを動作させる場合のように、給湯システムに流れる電流が電源接続口の定格電流を超える事態が起こり得ない場合もある。この点、上記の構成によると、第２の制御部は、ヒートポンプから受信された状態信号に基づいて、力率改善回路による力率改善の状態を、オン状態とオフ状態のどちらかに切り替える。即ち、上記の構成によると、熱源機及びヒートポンプの動作状態に応じて、力率改善回路による力率改善を有効化させるか否かを切り替えることができる。従って、消費電力の無駄な増加を抑制することができる。
【００１１】
前記状態信号は、前記加熱機が動作を開始するために必要な準備を行っていることを示す動作予定信号を含んでもよい。前記第２の制御部は、前記ヒートポンプから前記動作予定信号を受信する場合に、前記加熱機及び前記燃焼機の両方が同時に動作する同時動作状態が開始される前に、前記力率改善の状態を前記オン状態に切り替えてもよい。
【００１２】
この構成によると、加熱機及び燃焼機の両方が同時に動作する同時動作状態が開始される時点で、力率改善回路による力率改善を有効化させておくことができる。そのため、力率改善が有効化されていない状態で同時動作状態が開始されることを抑制することができる。その結果、加熱機及び燃焼機の両方が同時に動作する場合であっても、給湯システムに流れる電流が電源接続口の定格電流を超えることを抑制することができる。
【００１３】
前記第２の制御部は、前記力率改善の状態を前記オン状態に切り替えた後で前記同時動作状態が開始され、その後前記同時動作状態が終了する場合に、前記力率改善の状態を前記オン状態から前記オフ状態に切り替えてもよい。
【００１４】
この構成によると、加熱機及び燃焼機の両方が同時に動作する同時動作状態が開始された後で、同時動作状態が終了する場合（即ち、加熱機と燃焼機のうちの少なくとも一方が停止する場合）に、力率改善回路による力率改善を行わせないようにすることができる。従って、この構成によると、加熱機及び燃焼機の両方が同時に動作する同時動作状態が終了した場合における消費電力の無駄な増加を抑制することができる。
【００１５】
前記ヒートポンプは、さらに、前記熱源機と通信可能な第１の制御部を有していてもよい。前記熱源機は、さらに、前記ヒートポンプと通信可能な第２の制御部を有していてもよい。前記第２の電源部は、さらに、前記力率改善回路に異常が発生していることを検出するための監視回路を備えてもよい。前記第２の制御部は、前記監視回路によって前記力率改善回路に異常が発生していることが検出された後で、前記燃焼機が動作すべき場合に、前記加熱機の動作を抑制するための停止信号を前記ヒートポンプに送信してもよい。
【００１６】
力率改善回路に異常が発生している場合には、力率改善回路が有効に機能せず、電源接続口から熱源機に流れる電流値を低く抑えることができない可能性が高い。その場合に、加熱機と燃焼機とを同時に動作させた場合に、流れる電流が電源接続口の定格電流を超える場合がある。この点、上記の構成によると、第２の制御部は、監視回路によって力率改善回路に異常が発生していることが検出された後で、燃焼機が動作すべき場合（即ち、燃焼機が新たに動作を開始すべき場合と、動作中の燃焼機が動作を継続すべき場合と、の両方を含む）に、加熱機の動作を抑制するための停止信号をヒートポンプに送信する。これにより、力率改善回路に異常が発生している場合に、燃焼機と加熱機とが同時に運転されることで、電源接続口の定格電流を超えてしまう事態が発生することを抑制することができる。また、加熱機を動作させずに燃焼機を動作させることで、温水利用箇所で要求される温水の準備に必要な熱を十分に賄うこともできる。
【図面の簡単な説明】
【００１７】
【図１】給湯システム２の構成を模式的に示す図。
【図２】ＰＦＣ回路２８に異常が発生していない間の各構成要素の挙動を説明した表。
【図３】ヒートポンプ制御処理を示すフローチャート。
【図４】熱源機制御処理を示すフローチャート。
【発明を実施するための形態】
【００１８】
（実施例）
図１に示すように、本実施例に係る給湯システム２は、例えば、家屋等の内外の温水利用箇所に温水を供給するために利用されるシステムである。給湯システム２は、ヒートポンプ４と、熱源機６と、タンクユニット８と、を備える。ヒートポンプ４及び熱源機６は、ともに、分電盤３００から分岐した１個の電源コンセント２００に接続されており、同じ電源コンセント２００から電力供給を受けている。タンクユニット８は、熱源機６に備えられた電源コンセント３６に接続されており、熱源機６を介して電力供給を受けている。
【００１９】
（ヒートポンプ４の構成）
ヒートポンプ４は、加熱機８０と、タンク水循環路８２と、循環ポンプ８４と、ヒートポンプ電源部（以下では「ＨＰ電源部」と呼ぶ）９０と、ヒートポンプ制御部（以下では「ＨＰ制御部」と呼ぶ）１００と、を備える。
【００２０】
加熱機８０は、外気から吸熱して、タンク水循環路８２内の水を加熱する熱源である。加熱機８０は、熱媒体（代替フロン、例えばＲ４１０Ａ等）を循環させる熱媒体循環路１０１と、外気と熱媒体との間で熱交換を行う蒸発器１０２と、蒸発器１０２に外気を送風するファン１０３と、熱媒体を圧縮して高温高圧にする圧縮機１０４と、タンク水循環路８２内の水と高温高圧の熱媒体との間で熱交換を行う凝縮器１０５と、熱交換を終えた後の熱媒体を減圧させて低温低圧にする膨張弁１０６と、蒸発器１０２をバイパスするバイパス路１０７と、バイパス路１０７を開閉する開閉弁１０８と、を備えている。
【００２１】
タンク水循環路８２は、上流端が、タンクユニット８内のタンク１０の下部に接続されており、下流端がタンク１０の上部に接続されている。タンク水循環路８２には、循環ポンプ８４が介装されている。循環ポンプ８４は、タンク水循環路８２内の水を上流側から下流側へ送り出す。また、タンク水循環路８２は、加熱機８０の凝縮器１０５を通過している。そのため、加熱機８０を作動させると（即ち、ファン１０３及び圧縮機１０４を作動させると）、タンク水循環路８２内の水が加熱機８０の熱交換器で加熱される。従って、循環ポンプ８４と加熱機８０とを作動させると、タンク１０の下部の水が凝縮器１０５で加熱され、加熱された水がタンク１０の上部に戻される。即ち、タンク水循環路８２は、タンク１０に蓄熱するための水路である。また、タンク水循環路８２の凝縮器１０５の上流側には、サーミスタ８６が介装されている。サーミスタ８６は、タンク１０の下部から導出され、凝縮器１０５を通過する前の水の温度を測定する。また、タンク水循環路８２の凝縮器１０５の下流側にも、サーミスタ８８が介装されている。サーミスタ８８は、凝縮器１０５を通過した後の水の温度を測定する。
【００２２】
ＨＰ電源部９０は、分電盤３００から分岐した電源コンセント２００からヒートポンプ４に電力を供給するための供給手段である。ＨＰ電源部９０は、接続部９１を備える。接続部９１は、先端に差込プラグを有する電気配線である。接続部９１の差込プラグは、電源コンセント２００に差し込まれている。また、ＨＰ電源部９０は、リアクタ、平滑回路等（図示しない）も備えている。リアクタは、電流の高調波を抑制することで、流れる電流の最大値を抑制して、力率を改善する（即ち１に近づける）。平滑回路は、交流電圧を直流電圧に変換するとともに、変換後の直流電圧をＨＰ制御部１００等で利用可能な値に変圧させる。このように、ＨＰ電源部９０は、ＡＣ−ＤＣ変換、変圧等の処理を行った上で、ヒートポンプ４の負荷（ＨＰ制御部１００等）に電力を供給する。本実施例のＨＰ電源部９０は、基本的には公知のヒートポンプ用の電源部と同様の構成を有するため、その他の詳しい構成の説明を省略する。
【００２３】
ＨＰ制御部１００は、ヒートポンプ４の各構成要素と電気的に接続されており、各構成要素の動作を制御する。また、ＨＰ制御部１００は、熱源機６の熱源機制御部４０と相互に通信可能に設けられている。なお、図１では、ＨＰ制御部１００と熱源機制御部４０とが直接有線接続されて通信を実行可能な様子を模式的に示しているが、実際の給湯システム２では、ＨＰ制御部１００は、タンクユニット８に設けられた制御部（図示しない）を経由して、熱源機制御部４０と通信する構成を採用してもよい。また、ＨＰ制御部１００と熱源機制御部４０との間で実行される通信は、有線通信に限られず、無線通信であってもよい。ＨＰ制御部１００は、後述のヒートポンプ制御処理（図３参照）を実行する。ヒートポンプ制御処理の詳しい内容は後述する。
【００２４】
（熱源機６の構成）
熱源機６は、熱源機電源部２０と、電圧監視回路３０と、電源コンセント３６と、熱源機制御部４０と、燃焼機７０と、を備える。
【００２５】
熱源機電源部２０は、電源コンセント２００から熱源機６に電力を供給するための供給手段である。熱源機電源部２０は、接続部２１と、ＡＣ回路２２と、スイッチ２４と、バイパス回路２６と、ＰＦＣ回路２８と、スイッチング電源（以下では「ＳＷ電源」と呼ぶ）３２と、ＤＣ−ＤＣコンバータ３４とを備える。
【００２６】
接続部２１は、先端に差込プラグを有する電気配線である。接続部２１の差込プラグは、電源コンセント２００に差し込まれている。ＡＣ回路２２は、接続部２１と接続されている。ＡＣ回路２２は、交流電圧を直流電圧に変換する回路である。ＰＦＣ回路２８は、スイッチング素子（図示省略）を有する力率改善回路である。ＰＦＣ回路２８は、スイッチング素子を駆動させて高調波電流を抑制し、流れる電流の最大値を抑制して力率を改善する（即ち１に近づける）ための回路である。バイパス回路２６は、ＰＦＣ回路２８をバイパスしてＡＣ回路２２とＳＷ電源３２を接続するための回路である。
【００２７】
スイッチ２４は、ＡＣ回路２２とＰＦＣ回路２８とを電気的に接続する第１の状態と、ＡＣ回路２２とバイパス回路２６とを接続して、ＰＦＣ回路２８をバイパスしてＡＣ回路２２とＳＷ電源３２とを接続する第２の状態と、を切り替えるスイッチである。以下では、スイッチ２４を第１の状態に切り替えるとともにＰＦＣ回路２８を駆動させて、ＰＦＣ回路２８による力率改善を有効化することを「ＰＦＣ回路２８をオンする」と呼び、スイッチ２４を第２の状態に切り替えるとともにＰＦＣ回路２８を駆動させずにＰＦＣ回路２８による力率改善を行わせないようにすることを「ＰＦＣ回路２８をオフする」と呼ぶ場合がある。また、ＰＦＣ回路２８がオンされた状態を「オン状態」、ＰＦＣ回路２８がオフされた状態を「オフ状態」と呼ぶ場合もある。
【００２８】
ＳＷ電源３２は、ＰＦＣ回路２８及びバイパス回路２６に接続されている。ＳＷ電源３２は、電源の定電圧化（安定化）を図る回路である。ＤＣ−ＤＣコンバータ３４は、ＳＷ電源３２に接続されている。ＤＣ−ＤＣコンバータ３４は、電圧を熱源機制御部４０等で利用可能な値に変圧させる回路である。ＤＣ−ＤＣコンバータ３４で変圧された後の電圧は、熱源機６内の負荷（熱源機制御部４０等）、及び、電源コンセント３６に供給される。
【００２９】
電圧監視回路３０は、熱源機電源部２０のＰＦＣ回路２８に接続されており、ＰＦＣ回路２８が出力する電圧を監視することによって、ＰＦＣ回路２８に異常が発生することを監視する。例えば、ＰＦＣ回路２８のスイッチング素子に不具合が発生した場合、ＰＦＣ回路２８が正常に機能しなくなる可能性がある。その場合、ＰＦＣ回路２８から出力される電圧は異常値を示す。電圧監視回路３０は、異常値を検出すると、熱源機制御部４０に異常信号を送信する。
【００３０】
電源コンセント３６は、ＤＣ−ＤＣコンバータ３４で変圧された後の電圧をタンクユニット８に供給するための分岐用電源コンセントである。電源コンセント３６には、後述のタンクユニット８の接続部５４の先端に設けられた差込プラグが差し込まれている。
【００３１】
熱源機制御部４０は、熱源機６の各構成要素と電気的に接続されており、各構成要素の動作を制御する。例えば、熱源機制御部４０は、ＰＦＣ回路２８を駆動させる駆動指示をＰＦＣ回路２８に出力したり、スイッチ２４を第１の状態と第２の状態との間で切り替えるスイッチ切替指示をスイッチ２４に出力したりすることができる。また、上記の通り、熱源機制御部４０は、ヒートポンプ４のＨＰ制御部１００と相互に通信可能に設けられている。熱源機制御部４０は、後述の熱源機制御処理（図４参照）を実行する。熱源機制御処理の詳しい内容は後述する。さらに、本実施例では、熱源機制御部４０は、タンクユニット８の制御部（図示しない）を介して、タンクユニット８の各構成要素（サーミスタ１２〜１８、混合弁６２等）とも電気的に接続されており、タンクユニット８の各構成要素の動作も制御可能である。
【００３２】
燃焼機７０は、燃料（例えば、燃料ガス）を燃焼させた熱によって、タンクユニット８の供給路６０（後述）を通過する温水を加熱する補助熱源機である。また、燃焼機７０より下流側の供給路６０には、サーミスタ６４が介装されている。サーミスタ６４は、供給される温水の温度を測定する。燃焼機７０は、サーミスタ６４が測定する温水の温度が、給湯設定温度と一致するように、供給路６０内の水を加熱する。供給路６０の下流端は、温水利用箇所（例えば台所、浴槽等）に接続されている。
【００３３】
（タンクユニット８の構成）
タンクユニット８は、タンク１０と、供給路６０と、接続部５４と、を備える。
【００３４】
タンク１０は、ヒートポンプ４内の加熱機８０によって加熱された温水を貯える。タンク１０は、密閉型であり、断熱材によって外側が覆われている。タンク１０内には満水まで水が貯留されている。本実施例では、タンク１０の容量は１００Ｌである。タンク１０には、サーミスタ１２、１４、１６、１８がタンク１０の高さ方向に所定間隔で取り付けられている。各サーミスタ１２、１４、１６、１８は、その取付位置の水の温度を測定する。例えば、各サーミスタ１２、１４、１６、１８は、それぞれ、タンク１０の上部から６Ｌ、１２Ｌ、３０Ｌ、５０Ｌの位置の水の温度を測定する。
【００３５】
水道水導入路５０は、上流端が水道水供給源５１に接続されている。水道水導入路５０には、サーミスタ５２が介装されている。サーミスタ５２は、水道水の温度を測定する。水道水導入路５０の下流側は、第１導入路５０ａと第２導入路５０ｂに分岐している。第１導入路５０ａの下流端は、タンク１０の下部に接続されている。第２導入路５０ｂの下流端は、後述の供給路６０の途中に接続されている。第２導入路５０ｂの下流端と供給路６０との接続部分には、混合弁６２が設けられている。混合弁６２は、供給路６０内を流れる温水に、第２導入路５０ｂ内の水を混合させる量を調整する。
【００３６】
供給路６０は、上流端がタンク１０の上部に接続されている。上述したように、供給路６０の途中には、水道水導入路５０の第２導入路５０ｂが接続されており、接続部分には混合弁６２が設けられている。第２導入路５０ｂとの接続部より下流側の供給路６０には、上述の熱源機６の燃焼機７０が介装されている。上記の通り、供給路６０の下流端は温水利用箇所に接続されている。
【００３７】
接続部５４は、先端に差込プラグを有する電気配線であり、タンクユニット８に電力を供給するための供給手段である。接続部５４の差込プラグは、熱源機６の電源コンセント３６に差し込まれている。即ち、タンクユニット８は、熱源機６から電力を供給している。
【００３８】
（分電盤３００、電源コンセント２００の構成）
分電盤３００は、電源に接続されており、電源から供給される電力を建物の内外の電源接続口に分岐させて割り当てるための装置である。
【００３９】
電源コンセント２００は、分電盤３００から分岐する電力供給用のコンセントである。本実施例では、電源コンセント２００は、定格電流が１５Ａ、定格電圧が１００Ｖのコンセントである。本実施例では、電源コンセント２００は、建物の屋外に設置されたコンセントであるが、他の例では、電源コンセント２００は、建物内に設置されたコンセントであってもよい。図１に示す例では、電源コンセント２００には、接続部９１の差込プラグ、接続部２１の差込プラグの双方が差し込まれている。
【００４０】
次いで、本実施例の給湯システム２の動作について説明する。給湯システム２は、蓄熱運転及び給湯運転を実行することができる。以下、各運転について説明する。
【００４１】
（蓄熱運転）
蓄熱運転は、加熱機８０で生成した熱により、タンク１０内の水を加熱する運転である。ＨＰ制御部１００によって蓄熱運転の実行が指示されると、まず、加熱機８０が動作を開始するための動作準備（いわゆる暖気運転）を行う。動作準備が終了すると、加熱機８０が動作を開始する（即ち、圧縮機１０４及びファン１０３を動作させる）とともに、循環ポンプ８４が回転する。循環ポンプ８４が回転すると、タンク水循環路８２内をタンク１０内の水が循環する。即ち、タンク１０の下部に存在する水がタンク水循環路８２内に導入され、導入された水が加熱機８０内の凝縮器１０５を通過する際に、熱媒体の熱によって加熱され、加熱された水がタンク１０の上部に戻される。これにより、タンク１０に高温の水が貯められる。タンク１０の上部には、高温の水の層が形成され、下部には、低温の水の層が形成される。
【００４２】
（給湯運転）
給湯運転は、タンク１０内の水を温水利用箇所に供給する運転である。給湯運転は、上記の蓄熱運転中にも実行することができる。温水利用箇所の給湯栓が開かれると、水道水供給源５１からの水圧によって、水道水導入路５０（第１導入路５０ａ）からタンク１０の下部に水道水が流入する。同時に、タンク１０上部の温水が、供給路６０を介して温水利用箇所に供給される。
【００４３】
熱源機制御部４０は、タンク１０から供給路６０に供給される水の温度（即ち、サーミスタ１２の測定温度）が、給湯設定温度より高い場合には、混合弁６２を開いて第２導入路５０ｂから供給路６０に水道水を導入する。従って、タンク１０から供給された水と第２導入路５０ｂから供給された水道水とが、供給路６０内で混合される。熱源機制御部４０は、温水利用箇所に供給される水の温度が、給湯設定温度と一致するように、混合弁６２の開度を調整する。一方、熱源機制御部４０は、タンク１０から供給路６０に供給される水の温度が、給湯設定温度より低い場合には、燃焼機７０を作動させる。従って、供給路６０を通過する水が燃焼機７０によって加熱される。熱源機制御部４０は、温水利用箇所に供給される水の温度が、給湯設定温度と一致するように、燃焼機７０の出力を制御する。
【００４４】
（挙動の概要）
上記の通り、図１の例では、熱源機６の接続部２１の差込プラグと、ヒートポンプ４の接続部９１の差込プラグと、が両方とも同じ電源コンセント２００に差し込まれている。即ち、熱源機６とヒートポンプ４の両方が、同じ電源コンセント２００から電力を供給する。この接続状態を前提とする場合、熱源機６側でＰＦＣ回路２８を用いた力率改善処理を行わずに、加熱機８０及び燃焼機７０を同時に動作させると、電源コンセント２００の定格電流（本実施例では１５Ａ）を超えるおそれがある。そのため、本実施例の給湯システム２では、ＨＰ制御部１００がヒートポンプ制御処理（図３参照）を実行するとともに、熱源機制御部４０が熱源機制御処理（図４参照）を実行することによって、電源コンセント２００の定格電流を超えないように、加熱機８０及び燃焼機７０を動作させる。
【００４５】
具体的には、本実施例では、ヒートポンプ制御処理と熱源機制御処理が実行されることにより、以下のような挙動が実現される。挙動は、ＰＦＣ回路２８に異常が発生しているか否かに応じて大きく二つに分かれる。
【００４６】
（ＰＦＣ回路２８に異常が発生していない場合の挙動の概要）
本実施例では、ＰＦＣ回路２８に異常が発生していない場合には、ＰＦＣ回路２８を駆動させて力率改善を行うことで、熱源機６に流れる電流値を抑制し、加熱機８０と燃焼機７０を同時に動作させる場合であっても、電源コンセント２００の定格電流を超えることを抑制する。具体的に言うと、ＨＰ制御部１００は、加熱機８０の状態が「運転中」「運転準備中」「待機中（即ち停止中）」の間で切り替わる毎に、加熱機８０の状態を示す状態信号（即ち、動作中信号、動作予定信号、待機中信号、のうちのいずれか）を熱源機制御部４０に送信する。そして、図２に示すように、熱源機制御部４０は、ＨＰ制御部１００から受信される状態信号に基づいて加熱機８０の状態を把握するとともに、燃焼機７０と加熱機８０とが同時に動作すべき状況が発生する場合（即ち、燃焼機７０が動作中であり、加熱機８０が動作中又は動作準備中である場合）に、スイッチ２４を第１の状態に切り替え、ＰＦＣ回路２８を駆動させ、熱源機６において力率改善処理を行う（即ちＰＦＣ回路２８をオンする）。これにより、燃焼機７０と加熱機８０とが同時に動作しても、電源コンセント２００の定格電流を超えさせないようにすることができる。
【００４７】
その一方で、図２に示すように、熱源機制御部４０は、燃焼機７０と加熱機８０のうちの一方のみが動作する場合、及び、燃焼機７０と加熱機８０の両方とも動作していない場合には、スイッチ２４を第２の状態に切り替え、ＰＦＣ回路２８を駆動させず、熱源機６において力率改善処理を行わないようにする（即ちＰＦＣ回路２８をオフする）。これにより、ＰＦＣ回路２８による力率改善処理を行わなくても、電源コンセント２００の定格電流を超えない状況下では、ＰＦＣ回路２８を無駄に駆動させずに消費電力を抑えることができる。
【００４８】
（ＰＦＣ回路２８に異常が発生している場合の挙動の概要）
また、ＰＦＣ回路２８に異常が発生している場合には、ＰＦＣ回路２８が正常に動作しないため、ＰＦＣ回路２８による力率改善を行うことはできない。そのため、熱源機制御部４０は、ＰＦＣ回路２８をオフする。この場合、燃焼機７０が動作する場合（動作しようとする場合を含む）に、加熱機８０を同時に動作させないようにすることで、電源コンセント２００の定格電流を超えることを抑制する。燃焼機７０と加熱機８０とが同時に動作しようとした場合（即ち両者の動作タイミングが重複する場合）に、燃焼機７０の動作を優先して加熱機８０の動作を抑制するため、温水利用箇所で要求される温水の準備に必要な熱を十分に賄うこともできる。具体的には、熱源機制御部４０は、燃焼機７０を動作させるべき場合に、ＨＰ制御部１００に、加熱機８０の動作を停止する（既に待機中の場合は待機中状態を維持する）ことを要求する停止信号を送信する。ＨＰ制御部１００は、熱源機制御部４０から停止信号を受信すると、加熱機８０が動作中であればその動作を終了する。そしてＨＰ制御部１００は、動作禁止フラグをオンする。動作禁止フラグは、ＨＰ制御部１００によって記憶されているフラグであり、オンとオフの一方に設定されるフラグである。以後、ＨＰ制御部１００は、動作禁止フラグがオンである間は、加熱機８０の動作開始条件が具備される場合であっても、加熱機８０を動作させない。これにより、ＰＦＣ回路２８に異常が発生している場合に、燃焼機７０と加熱機８０とが同時に運転されることで、電源コンセント２００の定格電流を超えてしまう事態の発生を抑制することができる。
【００４９】
そして、熱源機制御部４０は、燃焼機７０の動作が終了する場合には、ＨＰ制御部１００に、加熱機８０の動作停止を解除するための解除信号を送信する。ＨＰ制御部１００は、熱源機制御部４０から解除信号を受信すると、動作禁止フラグをオフに切り替える。以後、ＨＰ制御部１００は、動作禁止フラグがオフである間は、加熱機８０の動作開始条件が具備される場合、加熱機８０を動作させる。この場合も、燃焼機７０と加熱機８０とが同時に運転されることで、電源コンセント２００の定格電流を超えてしまう事態の発生を抑制することができる。
【００５０】
以下、給湯システム２に上記の挙動を実現させるための処理であるヒートポンプ制御処理（図３参照）と熱源機制御処理（図４参照）について、それぞれ内容を詳細に説明する。
【００５１】
（ヒートポンプ制御処理）
図３を参照して、ＨＰ制御部１００が実行するヒートポンプ制御処理の内容を説明する。ヒートポンプ４の電源がオンされると、ＨＰ制御部１００は、図３の処理を開始する。図３の処理の開始時点では、加熱機８０は動作していない。
【００５２】
Ｓ１０では、ＨＰ制御部１００は、動作禁止フラグをオフに設定する。
【００５３】
続くＳ１２では、ＨＰ制御部１００は、加熱機８０が待機中であることを示す待機中信号を熱源機制御部４０に送信する。
【００５４】
続くＳ１４では、ＨＰ制御部１００は、この時点で、熱源機制御部４０から解除信号を受信したか否かを判断する。上記の通り、解除信号は、燃焼機７０の動作が終了する場合に熱源機制御部４０から送信される信号であり、加熱機８０の動作停止を解除するための信号である。ＨＰ制御部１００は、このタイミングで熱源機制御部４０から解除信号を受信すると、Ｓ１４でＹＥＳと判断し、Ｓ１６に進む。一方、ＨＰ制御部１００は、このタイミングで解除信号を受信しなかった場合、Ｓ１４でＮＯと判断し、Ｓ１６をスキップしてＳ１８に進む。
【００５５】
Ｓ１６では、ＨＰ制御部１００は、動作禁止フラグをオフに設定する。Ｓ１６の時点で既に動作禁止フラグがオフに設定されている場合には、ＨＰ制御部１００は、動作禁止フラグをオフのまま維持する。
【００５６】
続くＳ１８では、ＨＰ制御部１００は、加熱機８０の動作開始条件が具備されたか否かを判断する。加熱機８０の動作開始条件は、例えば、利用者によって蓄熱運転開始指示が入力される場合、サーミスタ１２の検出温度（即ちタンク１０の上部付近の水の温度）が所定の設定温度を下回る場合（いわゆる湯切れが発生している場合）等である。加熱機８０の動作開始条件が具備されている場合、ＨＰ制御部１００は、Ｓ１８でＹＥＳと判断し、Ｓ２０に進む。一方、加熱機８０の動作開始条件が具備されていない場合、ＨＰ制御部１００は、Ｓ１８でＮＯと判断し、Ｓ１２に戻る。
【００５７】
Ｓ２０では、ＨＰ制御部１００は、この時点における動作禁止フラグがオンであるか否かを判断する。ＨＰ制御部１００は、記憶している動作禁止フラグを参照し、動作禁止フラグがオンである場合に、Ｓ２０でＹＥＳと判断し、加熱機８０を動作させることなく、Ｓ１２に戻る。一方、ＨＰ制御部１００は、動作禁止フラグがオフである場合に、Ｓ２０でＮＯと判断し、Ｓ２２に進む。
【００５８】
Ｓ２２では、ＨＰ制御部１００は、加熱機８０が動作準備中であることを示す動作予定信号を熱源機制御部４０に送信する。
【００５９】
続くＳ２４では、ＨＰ制御部１００は、加熱機８０の動作準備を開始する。即ち、ＨＰ制御部１００は、加熱機８０の暖気運転を開始する。なお、Ｓ２４の時点で既に加熱機８０の動作準備が行われている場合（後述のＳ２８でＮＯと判断された後のＳ２４）には、ＨＰ制御部１００は、加熱機８０の動作準備を継続して実行する。
【００６０】
続くＳ２６では、ＨＰ制御部１００は、この時点で、熱源機制御部４０から停止信号を受信したか否かを判断する。上記の通り、停止信号は、熱源機６のＰＦＣ回路２８に異常が発生した場合において、燃焼機７０を動作させるべき場合に、熱源機制御部４０から送信される信号であり、加熱機８０の停止を要求する信号である。ＨＰ制御部１００は、このタイミングで熱源機制御部４０から停止信号を受信すると、Ｓ２６でＹＥＳと判断し、Ｓ２７に進む。一方、ＨＰ制御部１００は、このタイミングで熱源機制御部４０から停止信号を受信しない場合、Ｓ２６でＮＯと判断し、Ｓ２８に進む。
【００６１】
Ｓ２７では、ＨＰ制御部１００は、動作禁止フラグをオンに設定する。Ｓ２７を終えると、ＨＰ制御部１００は、加熱機８０を動作させることなく、Ｓ１２に戻る。
【００６２】
Ｓ２８では、ＨＰ制御部１００は、ＨＰ制御部１００は、加熱機８０の動作準備が完了したか否かを判断する。この時点で、加熱機８０の所定の暖気運転が完了し、動作開始可能な状態に移行している場合には、ＨＰ制御部１００は、Ｓ２８でＹＥＳと判断し、Ｓ３０に進む。一方、この時点で、加熱機８０の暖気運転が完了していない場合には、ＨＰ制御部１００は、Ｓ２８でＮＯと判断し、Ｓ２２に戻る。
【００６３】
Ｓ３０では、ＨＰ制御部１００は、加熱機８０の動作を開始する。具体的には、ＨＰ制御部１００は、圧縮機１０４及びファン１０３を動作させる。また、ＨＰ制御部１００は、同時に、循環ポンプ８４を回転させる。これにより、タンク１０の下部から導出された水が加熱機８０内の凝縮器１０５で加熱され、加熱後の温水がタンク１０上部に戻される。なお、Ｓ３０の時点で既に加熱機８０の動作が行われている場合（後述のＳ３６でＮＯと判断された後のＳ３０）には、ＨＰ制御部１００は、加熱機８０の動作を継続して実行する。
【００６４】
続くＳ３２では、ＨＰ制御部１００は、加熱機８０が動作中であることを示す動作中信号を熱源機制御部４０に送信する。
【００６５】
続くＳ３４では、ＨＰ制御部１００は、動作中の加熱機８０の動作終了条件が具備されたか否かを判断する。加熱機８０の動作終了条件は、例えば、利用者によって蓄熱運転終了指示が入力される場合、サーミスタ８６の検出温度（即ちタンク１０の下部の水の温度）が所定の設定温度を下回る場合（いわゆる満蓄状態である場合）等である。この時点で加熱機８０の動作終了条件が具備される場合、ＨＰ制御部１００は、Ｓ３４でＹＥＳと判断し、Ｓ３６、Ｓ３８をスキップして、Ｓ４０に進む。一方、この時点で加熱機８０の動作終了条件が具備されていない場合、ＨＰ制御部１００は、Ｓ３４でＮＯと判断し、Ｓ３６に進む。
【００６６】
Ｓ３６では、ＨＰ制御部１００は、この時点で、熱源機制御部４０から停止信号を受信したか否かを判断する。ＨＰ制御部１００は、このタイミングで熱源機制御部４０から停止信号を受信すると、Ｓ３６でＹＥＳと判断し、Ｓ３８に進む。一方、ＨＰ制御部１００は、このタイミングで熱源機制御部４０から停止信号を受信しない場合、Ｓ３６でＮＯと判断し、Ｓ３０に戻る。
【００６７】
Ｓ３８では、ＨＰ制御部１００は、動作禁止フラグをオンに設定する。
【００６８】
Ｓ４０では、ＨＰ制御部１００は、加熱機８０の動作を終了させる（即ち停止させる）。同時に、ＨＰ制御部１００は、循環ポンプ８４の回転も停止させる。Ｓ４０を終えると、ＨＰ制御部１００は、Ｓ１２に戻り、Ｓ１２以降の各処理を再び実行する。ヒートポンプ４の電源がオンされている間、ＨＰ制御部１００は上記のＳ１２〜Ｓ４０の各処理を繰り返し実行する。
【００６９】
（熱源機制御処理）
続いて、図４を参照して、熱源機制御部４０が実行する熱源機制御処理の内容を説明する。熱源機６の電源がオンされると、熱源機制御部４０は、図４の処理を開始する。図４の処理の開始時点では、燃焼機７０は動作していない。
【００７０】
Ｓ５０では、熱源機制御部４０は、ＨＰ制御部１００に解除信号を送信するとともに、ＰＦＣ回路２８をオフする。即ち、Ｓ５０では、熱源機制御部４０は、スイッチ２４を第２の状態に切り替えるとともに、ＰＦＣ回路２８を駆動させ、ＰＦＣ回路２８による力率改善を行わないようにする。
【００７１】
続くＳ５２では、熱源機制御部４０は、この時点で、燃焼機７０の動作開始条件が具備されたか否かを判断する。燃焼機７０の動作開始条件は、例えば、給湯運転中にタンク１０から供給路６０に供給される水の温度が給湯設定温度より低い場合等である。燃焼機７０の動作開始条件が具備されている場合、ＨＰ制御部１００は、Ｓ５２でＹＥＳと判断し、Ｓ５４に進む。
【００７２】
Ｓ５４では、熱源機制御部４０は、加熱機８０が動作中又は動作準備中であるか否かを判断する。具体的には、熱源機制御部４０は、ＨＰ制御部１００から受信された直近の状態信号が、動作中信号と動作予定信号のどちらかであるか否かを判断する。熱源機制御部４０は、ＨＰ制御部１００から受信された直近の状態信号が動作中信号又は動作予定信号である場合、Ｓ５４でＹＥＳと判断し、Ｓ５６に進む。一方、熱源機制御部４０は、ＨＰ制御部１００から受信された直近の状態信号が待機中信号である場合、Ｓ５４でＮＯと判断し、Ｓ５６〜Ｓ６２をスキップしてＳ６４に進む。
【００７３】
Ｓ５６では、熱源機制御部４０は、ＰＦＣ回路２８をオンする。即ち、熱源機制御部４０は、スイッチ２４を第１の状態に切り替えるとともに、ＰＦＣ回路２８を駆動させ、ＰＦＣ回路２８による力率改善を有効化する。
【００７４】
続くＳ５８では、熱源機制御部４０は、この時点でＰＦＣ回路２８が正常であるか否かを判断する。Ｓ５６でＰＦＣ回路２８をオンした後、ＰＦＣ回路２８から正常値の電圧が出力される場合（即ち、ＰＦＣ回路２８が正常である場合）には、電圧監視回路３０は正常値を検出する。そのため、電圧監視回路３０は熱源機制御部４０に信号を送信しない。この場合、熱源機制御部４０は、Ｓ５８でＹＥＳと判断し、Ｓ６０、Ｓ６２をスキップしてＳ６４に進む。一方、Ｓ５６でＰＦＣ回路２８をオンした後、ＰＦＣ回路２８から異常値の電圧が出力される場合（即ち、ＰＦＣ回路２８に異常が発生している場合）には、電圧監視回路３０は異常値を検出する。そのため、電圧監視回路３０は熱源機制御部４０に異常信号を送信する。この場合、熱源機制御部４０は、Ｓ５８でＮＯと判断し、Ｓ６０に進む。
【００７５】
Ｓ６０では、熱源機制御部４０は、ＨＰ制御部１００に停止信号を送信するとともに、熱源機制御部４０は、ＰＦＣ回路２８をオフする。これにより、動作中又は動作準備中の加熱機８０を停止させることができる。また、ＰＦＣ回路２８に異常が発生している場合にスイッチング素子が無駄に駆動することが抑制される。
【００７６】
続くＳ６２では、熱源機制御部４０は、ＨＰ制御部１００から待機中信号を受信することを監視する。上記の通り、ＨＰ制御部１００は、上記のＳ６０で送信された停止信号を受信すると、動作中又は動作準備中の加熱機８０を停止させる（又は動作させないようにする）（図３のＳ２６でＹＥＳ、Ｓ３６でＹＥＳ、Ｓ４０）。その場合、ＨＰ制御部１００は、熱源機制御部４０に、待機中信号を送信する（図３のＳ１２）。熱源機制御部４０は、ＨＰ制御部１００から送信された待機中信号を受信すると、Ｓ６２でＹＥＳと判断し（即ち、停止信号の送信によって加熱機８０が停止されたと判断し）、Ｓ６４に進む。
【００７７】
Ｓ６４では、熱源機制御部４０は、燃焼機７０の動作を開始する。この際、ＰＦＣ回路２８がオンされている場合（上記のＳ５４でＹＥＳ、Ｓ５６、Ｓ５８でＹＥＳ）には、ＰＦＣ回路２８によって力率改善が行われる。ＰＦＣ回路２８がオフされている場合（上記のＳ５４でＮＯ、又はＳ５８でＮＯ、Ｓ６０）には、ＰＦＣ回路２８による力率改善が行われない。なお、Ｓ６４の時点で既に燃焼機７０が動作している場合（即ち、後述のＳ７８でＮＯと判断された後のＳ６４）には、Ｓ６４では、熱源機制御部４０は、燃焼機７０の動作を継続して実行する。
【００７８】
続くＳ６６では、熱源機制御部４０は、ＨＰ制御部１００から動作予定信号（図３のＳ２２）を受信したか否かを判断する。ＨＰ制御部１００から受信された直近の状態信号が動作予定信号である場合には、熱源機制御部４０は、Ｓ６６でＹＥＳと判断し、Ｓ６８に進む。一方、ＨＰ制御部１００から受信された直近の状態信号が動作予定信号以外の信号（即ち、待機中信号又は動作中信号）である場合には、熱源機制御部４０は、Ｓ６６でＮＯと判断し、Ｓ６８〜Ｓ７２をスキップしてＳ７４に進む。
【００７９】
Ｓ６８では、熱源機制御部４０は、ＰＦＣ回路２８をオンする。Ｓ６８の処理の内容は、上記のＳ５６と同様である。
【００８０】
続くＳ７０では、熱源機制御部４０は、この時点でＰＦＣ回路２８が正常であるか否かを判断する。Ｓ７０の処理の内容は、上記のＳ５８と同様である。Ｓ７０でＹＥＳと判断される場合、熱源機制御部４０は、Ｓ７２をスキップしてＳ７４に進む。Ｓ７０でＮＯと判断される場合、熱源機制御部４０は、Ｓ７２に進む。
【００８１】
Ｓ７２では、熱源機制御部４０は、ＨＰ制御部１００に停止信号を送信するとともに、熱源機制御部４０は、ＰＦＣ回路２８をオフする。Ｓ７２の処理の内容は、上記のＳ６０と同様である。
【００８２】
続くＳ７４では、熱源機制御部４０は、ＨＰ制御部１００から待機中信号（図３のＳ１２）を受信したか否かを判断する。ＨＰ制御部１００から受信された直近の状態信号が待機中信号である場合には、熱源機制御部４０は、Ｓ７４でＹＥＳと判断し、Ｓ７６に進む。一方、ＨＰ制御部１００から受信された直近の状態信号が待機中信号ではない場合（即ち動作中信号であった場合）には、熱源機制御部４０は、Ｓ７４でＮＯと判断し、Ｓ７６をスキップしてＳ７８に進む。
【００８３】
Ｓ７６では、熱源機制御部４０は、ＰＦＣ回路２８をオフする。
【００８４】
続くＳ７８では、熱源機制御部４０は、動作中の燃焼機７０の動作終了条件が具備されたか否かを判断する。燃焼機７０の動作終了条件は、例えば、燃焼機７０の動作後に給湯運転が終了する場合等である。燃焼機７０の動作終了条件が具備された場合、熱源機制御部４０は、Ｓ７８でＹＥＳと判断し、Ｓ８０に進む。一方、この時点では燃焼機７０の動作終了条件が具備されていない場合（即ち燃焼機７０が動作を継続中である場合）、熱源機制御部４０は、Ｓ７８でＮＯと判断し、Ｓ６４に戻る。戻った先のＳ６４では、熱源機制御部４０は、燃焼機７０の動作を継続させる。
【００８５】
Ｓ８０では、熱源機制御部４０は、熱源機制御部４０は、燃焼機７０の動作を終了させる。Ｓ８０を終えると、熱源機制御部４０は、Ｓ５０に戻り、Ｓ５０以降の各処理を再び実行する。熱源機６の電源がオンされている間、熱源機制御部４０は、上記のＳ５０〜Ｓ８０の各処理を繰り返し実行する。
【００８６】
以上、本実施例の給湯システム２の構成及び動作について説明した。上記の通り、本実施例では、熱源機電源部２０は、スイッチング素子を有するとともに、電源コンセント２００と負荷（即ち、熱源機６の各構成要素）との間に設けられるＰＦＣ回路２８を有している。ＰＦＣ回路２８を駆動させる（即ちＰＦＣ回路２８のスイッチング素子を駆動させる）ことにより、電源コンセント２００から熱源機６に流れる電流値を低く抑えることができる。そのため、本実施例によると、図１の例のように、ヒートポンプ４の接続部９１の差込プラグと、熱源機６の接続部２１の差込プラグとが同じ電源コンセント２００に接続され、同じ電源コンセント２００から各ユニットに電力が供給される場合に、加熱機８０と燃焼機７０が同時に動作しても、給湯システム２に流れる電流が電源コンセント２００の定格電流を超えることを抑制することができる。従って、本実施例によると、ヒートポンプ４の接続部９１の差込プラグと熱源機６の接続部９１の差込プラグとを異なる電源コンセントに接続しなくても済むため、設置の際に電源コンセントの確保のための工事等を行う必要もない。そのため、ヒートポンプの電源部と、熱源機の電源部と、をそれぞれ異なる電源に接続する必要があった従来の構成に比べて、施工負荷を軽減することができる。
【００８７】
給湯システム２を運転している間、常時、ＰＦＣ回路２８をオン状態で動作させていると、スイッチング素子の駆動に伴って給湯システム２全体の消費電力が大きくなってしまう。しかしながら、例えば加熱機８０と燃焼機７０のうちの一方のみを動作させる場合のように、給湯システム２に流れる電流が電源コンセント２００の定格電流を超える事態が起こらない場合もある。この点、本実施例では、熱源機制御部４０は、ＨＰ制御部１００から、加熱機８０の状態を示す状態信号を受信し、ＰＦＣ回路２８による力率改善の状態を、オン状態とオフ状態のどちらかに切り替える。そのため、本実施例によると、熱源機６及びヒートポンプ４の動作状態に応じて、ＰＦＣ回路２８による力率改善を有効化させるか否か（即ち、ＰＦＣ回路２８をオンするか否か）を切り替えることができる。従って、消費電力の無駄な増加を抑制することができる。
【００８８】
また、本実施例では、熱源機制御部４０は、ＨＰ制御部１００から動作予定信号を受信する場合に（図４のＳ５４でＹＥＳ、Ｓ６６でＹＥＳ）、加熱機８０及び燃焼機７０の両方が同時に動作する状態が開始される前に、ＰＦＣ回路２８をオンする（Ｓ５６、Ｓ６８）。そのため、本実施例では、加熱機８０及び燃焼機７０の両方が同時に動作する状態が開始される時点で、ＰＦＣ回路２８をオンさせておくことができる。そのため、ＰＦＣ回路２８がオンしていない状態で加熱機８０及び燃焼機７０の両方が同時に動作する状態が開始されることを抑制することができる。その結果、加熱機８０及び燃焼機７０の両方が同時に動作する場合であっても、給湯システム２に流れる電流が電源コンセント２００の定格電流を超えることを抑制することができる。
【００８９】
熱源機制御部４０は、ＰＦＣ回路２８をオン（図４のＳ５６、Ｓ６８）した後で、加熱機８０と燃焼機７０の同時動作状態が開始され、その後同時動作状態が終了する場合（例えば、加熱機８０と燃焼機７０の少なくとも一方の動作が終了する場合）に、ＰＦＣ回路２８をオフする（図２、及び図４のＳ５０、Ｓ７６）。そのため、加熱機８０及び燃焼機７０の両方が同時に動作する同時動作状態が開始された後で、同時動作状態が終了する場合に、ＰＦＣ回路２８をオフすることができる（図２）。従って、本実施例では、加熱機８０及び燃焼機７０の同時動作状態が終了した場合における消費電力の無駄な増加を抑制することができる。
【００９０】
上記の通り、ＰＦＣ回路２８に異常が発生している場合には、ＰＦＣ回路２８が有効に機能せず、電源コンセント２００から熱源機６に流れる電流値を低く抑えることができない。その場合に、加熱機８０と燃焼機７０とを同時に動作すると、流れる電流が電源コンセント２００の定格電流を超える場合がある。この点、本実施例によると、熱源機制御部４０は、電圧監視回路３０から異常信号が受信された後で、燃焼機７０が動作すべき場合（図４のＳ５８でＮＯ、又は、Ｓ７０でＮＯの場合）に、加熱機８０の動作を抑制するための停止信号をＨＰ制御部１００に送信する（Ｓ６０、Ｓ７２）。これにより、ＰＦＣ回路２８に異常が発生している場合に、燃焼機７０と加熱機８０とが同時に運転されることで、電源コンセント２００の定格電流を超えてしまう事態が発生することを抑制することができる。また、加熱機８０を動作させずに燃焼機７０を動作させることで、温水利用箇所で要求される温水の準備に必要な熱を十分に賄うこともできる。
【００９１】
本実施例と請求項の記載の対応関係を説明しておく。電源コンセント２００が「電源接続口」の一例である。ＨＰ電源部９０が「第１の電源部」の一例であり、熱源機電源部２０が「第２の電源部」の一例である。ＨＰ制御部１００が「第１の制御部」であり、熱源機制御部４０が「第２の制御部」の一例である。
【００９２】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００９３】
（変形例１）上記の実施例では、ＨＰ制御部１００は、加熱機８０の状態が切り替わる毎に、状態信号を熱源機制御部４０に送信する（図３参照）。これに限られず、ＨＰ制御部１００は、加熱機８０の状態の変化の有無にかかわらず、定期的に、加熱機８０の状態を示す状態情報を熱源機制御部４０に送信するようにしてもよい。
【００９４】
（変形例２）上記の実施例では、ＰＦＣ回路２８に異常が発生している場合には、燃焼機７０と加熱機８０とが同時に動作しようとした場合（即ち両者の動作タイミングが重複する場合）に、燃焼機７０の動作を優先して加熱機８０の動作を抑制する。これに限られず、ＰＦＣ回路２８に異常が発生している場合には、燃焼機７０と加熱機８０とが同時に動作しようとした場合、先に動作（又は動作準備）を開始した側の機器の動作を優先するようにしてもよい。
【００９５】
（変形例３）熱源機６のうち、熱源機電源部２０、熱源機制御部４０及び燃焼機７０と、タンク１０及びそれ以外の付属要素（供給路６０、混合弁６２等）とが別個のユニットとして構成されていてもよい。その場合、タンク１０及び付属要素を含むユニットは、熱源機ユニットと、ＨＰユニットと、のうちのどちらか一方に接続され、接続された側のユニットから電力供給を受けられるように構成されていてもよい。
【００９６】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００９７】
２      ：給湯システム
４      ：ヒートポンプ
６      ：熱源機
８      ：タンクユニット
１０    ：タンク
１２    ：サーミスタ
１４    ：サーミスタ
１６    ：サーミスタ
１８    ：サーミスタ
２０    ：熱源機電源部
２１    ：接続部
２２    ：ＡＣ回路
２４    ：スイッチ
２６    ：バイパス回路
２８    ：ＰＦＣ回路
３０    ：電圧監視回路
３２    ：ＳＷ電源
３４    ：ＤＣ−ＤＣコンバータ
３６    ：電源コンセント
４０    ：熱源機制御部
５０    ：水道水導入路
５０ａ  ：第１導入路
５０ｂ  ：第２導入路
５１    ：水道水供給源
５２    ：サーミスタ
５４    ：接続部
６０    ：供給路
６２    ：混合弁
６４    ：サーミスタ
７０    ：燃焼機
８０    ：加熱機
８２    ：タンク水循環路
８４    ：循環ポンプ
８６    ：サーミスタ
８８    ：サーミスタ
９０    ：ＨＰ電源部
９１    ：接続部
１００  ：ＨＰ制御部
１０１  ：熱媒体循環路
１０２  ：蒸発器
１０３  ：ファン
１０４  ：圧縮機
１０５  ：凝縮器
１０６  ：膨張弁
１０７  ：バイパス路
１０８  ：開閉弁
２００  ：電源コンセント
３００  ：分電盤
【図１】
2019082260.tif 000003
【図２】
2019082260.tif 000004
【図３】
2019082260.tif 000005
【図４】
2019082260.tif 000006